(57)【要約】      （修正有）【課題】目盛りが見えないような環境であっても、所望の量の液体を正確に吸引あるいは排出することができる、シリンジを提供する。【解決手段】本発明に係るシリンジ１１は、第１端部及び第２端部を有する筒状に形成され、第１端部にノズル１２が設けられ、第２端部に内部空間に通じる開口１３が形成されたシリンダと、前記シリンダの開口から内部空間に挿入され、当該シリンダ内を軸方向に進退可能なプランジャ２と、前記プランジャの先端に取り付けられ、前記シリンダの内部空間の内壁面に密着するガスケット３と、を備え、前記シリンダの内壁面には、軸方向に所定間隔をおいて配置された複数の係合部１６が設けられ、前記ガスケットには、前記係合部に着脱可能に係合する被係合部３２が設けられている。【選択図】図２
2020108734.tif 000002
【特許請求の範囲】
【請求項１】
第１端部及び第２端部を有する筒状に形成され、前記第１端部にノズルが設けられ、前記第２端部に内部空間に通じる開口が形成されたシリンダと、
前記シリンダの開口から前記内部空間に挿入され、当該シリンダ内を軸方向に進退可能なプランジャと、
前記プランジャの先端に取り付けられ、前記シリンダの内部空間の内壁面に密着するガスケットと、
を備え、
前記シリンダの内壁面には、軸方向に所定間隔をおいて配置された複数の係合部が設けられ、
前記ガスケットには、前記係合部に着脱可能に係合する被係合部が設けられている、シリンジ。
【請求項２】
前記係合部は、前記シリンダの内壁面において周方向に延びる溝により形成され、
前記被係合部は、前記溝に嵌まる突条により形成されている、請求項１に記載のシリンジ。
【請求項３】
前記シリンダにおいて、前記各係合部が設けられている箇所には、目盛りが表示されている、請求項１または２に記載のシリンジ。
【発明の詳細な説明】
【技術分野】
【０００１】
本発明は、シリンジに関する。
【背景技術】
【０００２】
従来より、種々のシリンジが提案されている。一般的なシリンジには、シリンダの外周面に目盛りが表示されている。したがって、使用者は、液体を所望の量だけ、吸引したり、あるいは排出するために、目盛りを見ながらプランジャを進退させる。
【先行技術文献】
【特許文献】
【０００３】
【特許文献１】特開平８−３８４８４号公報
【発明の開示】
【発明が解決しようとする課題】
【０００４】
しかしながら、シリンジを暗所で使用する場合や、あるいは目盛り全体が見えないような体勢でシリンジを使用する場合が考えられる。このような場合には、使用者が目盛りを見ることができないため、所望の量の液体を吸引あるいは排出できないおそれがある。本発明は、上記問題を解決するためになされたものであり、目盛りが見えないような環境であっても、所望の量の液体を正確に吸引あるいは排出することができる、シリンジを提供することを目的とする。
【課題を解決するための手段】
【０００５】
本発明に係るシリンジは、第１端部及び第２端部を有する筒状に形成され、前記第１端部にノズルが設けられ、前記第２端部に内部空間に通じる開口が形成されたシリンダと、前記シリンダの開口から前記内部空間に挿入され、当該シリンダ内を軸方向に進退可能なプランジャと、前記プランジャの先端に取り付けられ、前記シリンダの内部空間の内壁面に密着するガスケットと、を備え、前記シリンダの内壁面には、軸方向に所定間隔をおいて配置された複数の係合部が設けられ、前記ガスケットには、前記係合部に着脱可能に係合する被係合部が設けられている。
【０００６】
上記シリンジにおいて、前記係合部は、前記シリンダの内壁面において周方向に延びる溝により形成することができ、前記被係合部は、前記溝に嵌まる突条により形成することができる。
【０００７】
上記シリンジでは、前記シリンダにおいて、前記各係合部が設けられている箇所に、目盛りを表示することができる。
【発明の効果】
【０００８】
本発明に係るシリンジによれば、目盛りが見えないような環境であっても、所望の量の液体を正確に吸引あるいは排出することができる。
【図面の簡単な説明】
【０００９】
【図１】本発明の一実施形態に係るシリンジの側面図である。
【図２】図１のシリンジの分解図である。
【図３】図１のシリンジに組み込まれるプランジャの分解図である。
【図４】図１のシリンジの使用を示す断面図である。
【図５】本発明のシリンジの他の例を示す分解図である。
【図６】図５のシリンジの使用を示す断面図である。
【発明を実施するための形態】
【００１０】
次に、本発明に係るシリンジの一実施形態について説明する。図１は、本実施形態に係るシリンジの側面図、図２は図１の分解図、図３はプランジャの分解図である。なお、以下の説明では、図１に示す方向に基づいて説明を行うが、これらの方向は本発明を限定するものではない。
【００１１】
＜１．シリンジの概要＞
図１〜図３に示すように、本実施形態に係るシリンジは、円筒状のシリンダ１と、このシリンダ１に挿入されるプランジャ２と、このプランジャ２の先端に取り付けられるガスケット３と、を備えている。
【００１２】
シリンダ１は、円筒状の透明のシリンダ本体１１を備えている。シリンダ本体１１の先端部（第１端部）には、シリンダ本体１１よりも小径のノズル１２が連結されている。このノズル１２は、シリンダ本体１１の内部空間と連通しており、シリンダ本体１１内に吸引された液体がノズル１２から外部へ押し出される。一方、シリンダ本体１１の後端部（第２端部）には、内部空間に通じる開口１３が形成されている。また、シリンダ本体１１の外周面において、開口１３の周縁には、径方向に延びるフランジ部１４が形成されている。シリンダ本体１１、ノズル１２、及びフランジ部１４は、樹脂材料などによって、一体的に形成されている。
【００１３】
また、シリンダ本体１１には、軸方向に沿って目盛り１５が表示されている。目盛り１５は印刷等で形成されたり、あるいはシリンダ本体１１の外周面に目盛りが表示されたシートを貼り付けてもよい。本実施形態に係る例では、１ｍＬ毎に６ｍＬまで大目盛り１５１が表示され、隣接する大目盛り１５１の間に、０．２ｍＬ毎に小目盛り１５２が表示されている。一方、図２に示すように、シリンダ本体１１の内壁面には、大目盛り１５１と対応する部分に、環状の溝（係合部）１６が形成されている。
【００１４】
図３に示すように、プランジャ２は、軸方向に延びるプランジャ本体２１と、このプランジャ本体２１の先端に設けられ、ガスケット３が取り付けられる取付部２２と、プランジャ本体２１の後端に設けられた円板状の押圧部２３と、を備えており、これらが樹脂材料などで一体的に形成されている。
【００１５】
プランジャ本体２１は、軸方向に延びる４つの板材を組合せ、断面十字型に形成されている。プランジャ本体２１の断面の最大径は、シリンダ本体１１の内径よりも小さくなっており、これによって、プランジャ本体２１は、シリンダ本体１１の内部空間を軸方向に進退可能となっている。取付部２２は、プランジャ本体２１の先端に連結された円柱状の小径部２２１と、この小径部２２１の先端に連結され、小径部２２１よりも径が大きい円板状の大径部２２２と、を備えている。一方、プランジャ本体２１の後端部には、円板状の押圧部２３が設けられているが、これは使用者が指で押圧するためのものであり、これによってプランジャ２がシリンダ本体１１内に進入する。
【００１６】
次に、ガスケット３について説明する。ガスケット３は、ゴムなどの弾性部材によって円柱状に形成され、後端部に凹部３１が形成されている。ガスケット３の外径はシリンダ本体１１の内径よりもやや大きく形成されており、これによって、ガスケット３の外周面がシリンダ本体１１の内壁面に密着するとともに、後述するように、ガスケット３の突条３３１，３３２がシリンダ本体１１の溝１６に嵌まるようになっている。また、ガスケット３の先端は、シリンダ本体１１の先端の内面に密着するような形状に形成されている。
【００１７】
図３に示すように、ガスケット３の凹部３１は、軸方向に連結された円筒状の小径部３１１と、この小径部３１１の先端側に連通し、小径部３１１より大径の大径部３１２とで構成されている。そして、ガスケット３が弾性変形することにより、この凹部３１に、プランジャ２の取付部２２がはめ込まれるようになっている。具体的には、取付部２２の大径部２２２が凹部３１の大径部３１２に嵌まり、取付部２２の小径部２２１が凹部３１の小径部３１１に嵌まる。したがって、取付部２２及び凹部３１の各大径部２２２，３１２が抜け止めになって、ガスケット３がプランジャ２から離脱しないようになっている。
【００１８】
また、ガスケット３の外周面において、軸方向の中央付近には、周方向に延びる環状の溝３２が形成されている。これにより、この溝３２の前側には環状の第１突条３３１が形成され、溝３２の後側には環状の第２突条３３２が形成されている。そして、これら２つの突条（被係合部）３３１，３３２は、上述したシリンダ本体１１の溝１６に嵌まるようになっている。
【００１９】
＜２．シリンジの使用方法＞
次に、上記のように形成されたシリンジの使用方法について、図４を参照しつつ説明する。まず、プランジャ２を、ガスケット３が取り付けられた先端側から、シリンダ本体１１の開口１３に挿入し、ガスケット３がシリンダ本体１１の先端に接するまで押し込む。このとき、ガスケット３は弾性材料で形成されているため、プランジャの押し込みに伴って、ガスケット３の突条３３１，３３２が、シリンダ本体１１の溝１６に嵌まり、さらに押し込むと溝１６から両突条３３１，３３２が順に離脱する。したがって、ガスケット３が溝１６を通過する毎にクリック感のような手応えを感じることができる。なお、ガスケット３には２つの突条３３１，３３２が形成されているため、１つの溝１６をガスケット３が通過する度に２度のクリック感が得られるが、両突条３３１，３３２は近接しているため、ごくわずかな時間をおいてクリック感が得られる。
【００２０】
続いて、吸引すべき液体にノズル１２の先端を挿入した上で、プランジャ２を後退させる。このとき、使用者は、目盛り１５を見ながら、ガスケット３の第１突条３３１が所望の量を指す目盛り１５の位置に達するまでプランジャ２を後退させる。その後、ノズル１２を注入すべき容器などに向け、プランジャ２を押し込むと、液体がノズル１２から排出される。
【００２１】
＜３．特徴＞
以上のように、本実施形態によれば、プランジャ２の進退に伴って、ガスケット３の突条３３１，３３２がシリンダ本体１１の溝１６に嵌まるため、使用者はクリック感を感じることができる。また、各溝１６は大目盛り１５１の位置に形成されているため、使用者は、クリック感を感じる毎に、液体を１ｍＬずつ吸引したり、あるいは排出していることを認識することができる。したがって、例えば、このシリンジを暗い場所や、あるいは目盛りが見がたい体勢などで用いる場合に、目盛り１５を視認することなく、クリック感だけで、吸引量、あるいは排出量を認識することができる。すなわち、目盛りを見なくても正確な量の吸引、または排出を行うことができる。
【００２２】
＜４．変形例＞
以上、本発明の一実施形態について説明したが、本発明は上記実施形態に限定されるものではなく、その趣旨を逸脱しない限りにおいて種々の変更が可能である。なお、以下の変形例は適宜組み合わせることができる。
【００２３】
＜４−１＞
上記シリンジのノズル１２に注射針を取り付け、注射器として使用することもできる。
【００２４】
＜４−２＞
目盛り１５の表示は一例であり。数字以外の、図形など、種々の目盛りを表示させることができる。あるいは目盛りを表示しないようにすることもできる。
【００２５】
＜４−３＞
上記実施形態では、シリンダ本体１１の内壁面に環状の溝１６を形成し、ガスケット３の外周面に環状の突条３２を形成しているが、これに限定されない。例えば、上記実施形態では、ガスケット３に２つの突条３３１，３３２を形成しているが、１つまたは３以上でもよい。また、ガスケット３の外周面には、溝１６（または後述する凹部）に係合する少なくとも一つの突部が本発明の被係合部として形成されていればよく、周方向全体に亘って延びていなくてもよい。同様に、シリンダ本体１１の溝１６も周方向全体でなくてもよく、一部であってもよい。また、溝１６ではなく、少なくとも一つの凹部によって本発明に係る係合部を構成することもできる。
【００２６】
＜４−４＞
上記実施形態では、シリンダ本体１１の内壁面に環状の溝１６を形成し、ガスケット３の外周面に環状の突条３３１，３３２を形成しているが、これが反対であってもよい。すなわち、図５及び図６に示すように、シリンダ本体１１の内壁面に、溝１６の代わりに、環状の突条１７を形成することができる。一方、ガスケット３には予め溝３２が形成されているため、この溝３２にシリンダ本体１１の突条１７が嵌まるようにすればよい。すなわち、ガスケット３とシリンダ本体１１の内壁面が、プランジャ２の進退に際して、所定間隔で係合するように構成されていればよい。また、溝及び突条の形状については、上述したとおり適宜変更することができる。
【００２７】
＜４−５＞
シリンダ１、プランジャ２、及びガスケット３の形状は特には限定されず、シリンダ１の内部をプランジャ２が進退できるように構成されていればよく、例えば、フランジ部１４は必ずしも必要ではない。また、プランジャ２とガスケット３の取り付け機構も特には限定されず、プランジャ２の先端にガスケット３が取り付けられればよい。
【００２８】
＜４−６＞
暗所で目盛りを見やすくするため、蛍光塗料により目盛りを形成することもできる。
【符号の説明】
【００２９】
１  シリンダ
１６  突条（係合部）
２  プランジャ
３  ガスケット
３２  溝（被係合部）
【図１】
2020108734.tif 000003
【図２】
2020108734.tif 000004
【図３】
2020108734.tif 000005
【図４】
2020108734.tif 000006
【図５】
2020108734.tif 000007
【図６】
2020108734.tif 000008